(57)【要約】【課題】長手方向の寸法をより小型化しつつ、スムーズな動作が得られるシャッター構成を有するプロセスカートリッジを提供すること。【解決手段】静電潜像を担持する感光体ドラムと、前記感光体ドラムを回転可能に支持するカートリッジフレームと、前記感光体ドラムを保護するシャッターと、前記シャッター部材を支持するためにカートリッジ枠体と前記シャッター部材を結合するシャッター支持部材と、前記シャッター支持部材を回転可能に支持する、前記カートリッジフレームに設けられたフレーム支持部とを有するプロセスカートリッジにおいて、前記カートリッジフレームが、シャッター閉止位置において前記シャッター支持部材が前記カートリッジフレームの長手方向端面から所定距離を維持するための規制部を有する。【選択図】図１
2005257891.tif 000002
【特許請求の範囲】
【請求項１】
静電潜像を担持する感光体ドラムと、前記感光体ドラムを回転可能に支持するカートリッジフレームと、前記感光体ドラムを保護するシャッターと、前記シャッター部材を支持するためにカートリッジ枠体と前記シャッター部材を結合するシャッター支持部材と、前記シャッター支持部材を回転可能に支持する、前記カートリッジフレームに設けられたフレーム支持部とを有するプロセスカートリッジにおいて、
前記カートリッジフレームが、シャッター閉止位置において前記シャッター支持部材が前記カートリッジフレームの長手方向端面から所定距離を維持するための規制部を有することを特徴とするプロセスカートリッジ。
【請求項２】
前記シャッターが可撓性フィルム部材から成り、前記可撓性フィルム部材の一辺が前記カートリッジフレームに支持され対向する一辺が前記シャッター支持部材に支持されることを特徴とする請求項１記載のプロセスカートリッジ。
【請求項３】
前記規制部は前、記フレーム支持部の外周の一部に沿って設けられていることを特徴とする請求項１又は２記載のプロセスカートリッジ。
【請求項４】
前記規制部は、連続した斜面であることを特徴とする請求項１〜３の何れかに記載のプロセスカートリッジ。
【発明の詳細な説明】
【技術分野】
【０００１】
本発明は、電子写真画像形成装置に着脱可能なプロセスカートリッジに関するものである。
【０００２】
ここで、電子写真画像形成装置とは、電子写真画像形成方式を用いて記録媒体に画像を記録するものであり、例えば、電子写真複写機、電子写真プリンタ（例えばレーザービームプリンタ、ＬＥＤプリンタ等）、ファクシミリ装置及びワードプロセッサ等が含まれる。
【０００３】
又、プロセスカートリッジとは、帯電手段、現像手段又はクリーニング手段の少なくとも何れか１つと電子写真感光体ドラムとを一体的にカートリッジ化し、このカートリッジを画像形成装置本体に対して着脱可能とするものである。
【背景技術】
【０００４】
従来から、電子写真感光体及び帯電手段、現像手段、クリーニング手段等を一体にまとめてカートリッジ化し、このカートリッジを画像形成装置本体に着脱可能とするプロセスカートリッジ方式が採用されている。このカートリッジ方式により操作性が一層向上され、上記プロセス手段のメンテナンスを使用者自身が容易に行うことが可能となるため、このカートリッジ方式は画像形成装置本体において広く用いられている。
【０００５】
このようなカートリッジ方式においては、プロセスカートリッジが画像形成装置本体外にあるときには、電子写真感光体（以下、感光体ドラム）が露光されないように、又、使用者が直接触れ、画像不良の原因となることを防止するために、感光体ドラムを覆う遮光性のシャッターが多く用いられている( 例えば、特許文献１参照) 。
【０００６】
このシャッターは、カートリッジフレームの両端に設けられた取り付け用の穴であるフレーム支持部に嵌合したシャッター支持部材によって、カートリッジフレームに回転可能に取り付けられている。更に、上記のフレームとシャッター支持部材に取り付けた弾性部材によって、シャッターを回転方向の一方向に付勢している。付勢は、シャッターが感光体ドラムを覆う方向、即ちシャッターが閉じる方向へ行われる。又、カートリッジフレームには、シャッター支持部材の長手方向のガタを規制するための規制部が設けられている。
【０００７】
図６に従来の構成の規制部１１１（ａ）とシャッター支持部材２５の関係の一例を示す。本構成ではフレーム支持部１１２の周囲に円周状の規制部１１１（ａ）を設けている。
【０００８】
【特許文献１】特開２０００−０８９５６７号公報
【発明の開示】
【発明が解決しようとする課題】
【０００９】
前述のシャッター部材は、シャッター開閉動作をスムーズに行うために、シャッター支持部材とカートリッジフレーム端面の間に所定量のガタを設けることが一般的に実施されている。
【００１０】
一方、シャッター閉止位置では運搬時等の長手方向の移動によるシャッター支持部材のカートリッジフレームからの脱落を防ぐため、或は、プロセスカートリッジを装着する画像形成装置本体寸法を小型化するため、カートリッジフレーム長手方向端面とシャッター支持部材とのガタ量を最小量となるようにする、若しくはシャッター支持部材とフレーム支持部との嵌合量を十分大きく取るということが行われてきた。
【００１１】
本発明の第１の目的は、前述の従来技術を更に改良し、長手方向の寸法をより小型化しつつ、スムーズな動作が得られるシャッター構成を有するプロセスカートリッジを提供することにある。
【００１２】
又、本発明の第２の目的は、プロセスカートリッジの断面方向の寸法も小型化することにある。
【００１３】
更に、本発明の第３の目的は、プロセスカートリッジにおいて、カートリッジフレームおよび付随する部品の配置の自由度を高めることにある。
【００１４】
又、本発明の第４の目的は、よりスムーズなシャッター開閉動作が得られるプロセスカートリッジを提供することにある。
【課題を解決するための手段】
【００１５】
上記目的を達成するため、請求項１記載の発明は、静電潜像を担持する感光体ドラムと、前記感光体ドラムを回転可能に支持するカートリッジフレームと、前記感光体ドラムを保護するシャッターと、前記シャッター部材を支持するためにカートリッジ枠体と前記シャッター部材を結合するシャッター支持部材と、前記シャッター支持部材を回転可能に支持する、前記カートリッジフレームに設けられたフレーム支持部とを有するプロセスカートリッジにおいて、前記カートリッジフレームが、シャッター閉止位置において前記シャッター支持部材が前記カートリッジフレームの長手方向端面から所定距離を維持するための規制部を有することを特徴とする。
【００１６】
請求項２記載の発明は、請求項１記載の発明において、前記シャッターが可撓性フィルム部材から成り、前記可撓性フィルム部材の一辺が前記カートリッジフレームに支持され対向する一辺が前記シャッター支持部材に支持されることを特徴とする。
【００１７】
請求項３記載の発明は、請求項１又は２記載の発明において、前記規制部は前、記フレーム支持部の外周の一部に沿って設けられていることを特徴とする。
【００１８】
請求項４記載の発明は、請求項１〜３の何れかに記載の発明において、前記規制部は、連続した斜面であることを特徴とする。
【発明の効果】
【００１９】
請求項１記載の発明によれば、シャッター閉止位置にカートリッジフレームの長手方向端面から所定距離を維持するための規制部を設けることで、シャッター閉止位置ではシャッター支持部材の長手方向の位置を規制し、且つ、シャッター開放位置及びシャッター開閉動作位置では規制部とシャッター支持部材との間に隙間を設けることができるため、簡易な構成でシャッターの動きを阻害することなく省スペースなシャッター支持部材を備えたプロセスカートリッジを提供することができる。
【００２０】
請求項２記載の発明によれば、断面方向にも省スペースなシャッター支持部材を備えたプロセスカートリッジを提供することができる。
【００２１】
請求項３記載の発明によれば、カートリッジフレーム及び付随する部品の配置自由度を高めることができる。
【００２２】
請求項４記載の発明によれば、規制部を連続した斜面にして段差をなくすことで、シャッター開閉動作時にシャッター支持部材が段差に引っ掛かることがなく、よりスムーズなシャッター開閉動作が得られるプロセスカートリッジを提供することができる。
【発明を実施するための最良の形態】
【００２３】
［画像形成装置全体について］
以下に図面を参照してこの発明の好適な実施の形態を例示的に詳しく説明する。但し、本実施の形態に記載されている構成部品の寸法、材質、形状、その相対配置等は、特に特定的な記載がない限りは、この発明の範囲をそれらのみに限定する趣旨のものではない。又、以下の説明で一度説明した部材についての材質、形状等は、特に改めて記載しない限り初めの説明と同様のものである。
［画像形成装置の全体の説明］
先ず、カラー電子写真画像形成装置の全体構成を図１及び図２に基づいて概説する。
【００２４】
図２に示すように、本実施の形態に係る電子写真画像形成装置は、Ｙ，Ｍ，Ｃ，Ｂｋ各色毎に一定速度で回転する電子写真感光体（以下、「感光体ドラム」言う）２１（２１Ｙ，２１Ｍ，２１Ｃ，２１Ｂｋ）を有するプロセスカートリッジ２（２Ｙ，２Ｍ，２Ｃ，２Ｂｋ）を有する画像形成部と、該画像形成部で現像され多重転写されたカラー画像を保持し給送部から給送された転写材Ｐに更に転写する中間転写体３５と、カラー画像を転写された転写材Ｐに定着する定着器と、転写材Ｐを装置上面の排出トレイ５６上に排出する排出ローラ対５３，５４，５５より構成されている。尚、上記４色のプロセスカートリッジ２Ｙ，２Ｍ，２Ｃ，２Ｂｋはプリンタ本体に対して個別に着脱可能に構成されている。
［像担持体］
像担持体である感光体ドラム２１（２１Ｙ，２１Ｍ，２１Ｃ，２１Ｂｋ）は、アルミシリンダの外周面に有機光導電体層を塗布して構成され、感光体ドラム２１の容器１８に回転自在に支持されている。又、図示後方の一方端に図示しない駆動モーターの駆動力を伝達することにより、感光体ドラム２１を画像形成動作に応じて図示反時計回りに回転させるようにしている。
［帯電手段］
帯電手段は、接触帯電方式を用いたものであり、ローラ状に形成された導電性の帯電ローラ２３（２３Ｙ，２３Ｍ，２３Ｃ，２３Ｂｋ）を感光体ドラム２１表面に当接させるとともに、帯電ローラ２３（２３Ｙ，２３Ｍ，２３Ｃ，２３Ｂｋ）に電圧を印加することにより、感光体ドラム２１の表面を一様に帯電させるものである。
［露光手段］
感光体ドラム２１への露光はスキャナー部１から行われる。画像信号がレーザーダイオードに与えられると、このレーザーダイオードは画像信号に対応する画像光１０（１０Ｙ，１０Ｍ，１０Ｃ，１０Ｂｋ）をポリゴンミラー１１（１１Ｙ，１１Ｍ，１１Ｃ，１１Ｂｋ）へ照射する。このポリゴンミラー１１はスキャナーモーターによって高速回転し、ポリゴンミラー１１で反射した画像光１０が結像レンズ１３（１３Ｙ，１３Ｍ，１３Ｃ，１３Ｂｋ）を介して一定速度で回転する感光体ドラム２１の表面を選択的に露光し、その結果、感光体ドラム２１上に静電潜像を形成する。
［現像手段］
現像手段は、上記静電潜像を可視像化するために、イエロー、マゼンタ、シアン、ブラックの各色現像を可能とする４個の現像器から構成されている。４色の各現像器１９は、感光体ドラム２１に対向し現像ローラ２２（２２Ｙ，２２Ｍ，２２Ｃ，２２Ｂｋ）が感光体ドラム２１に対して回転しながら接触する位置に配置され、感光体ドラム２１に各色トナーによる可視像を形成する。
［中間転写体］
中間転写体３５は、カラー画像形成動作時には各プロセスカートリッジ２（２Ｙ，２Ｍ，２Ｃ，２Ｂｋ）により可視化された感光体ドラム２１上のトナー画像を多重転写するために、感光体ドラム２１の外周速度と同期して図示時計回りに回転する。感光体ドラム２１上に形成されたトナー画像は、感光体ドラム２１に中間転写体３５を挟んで対向位置に配置され、電圧を印加された一次転写ローラ３４（３４Ｙ，３４Ｍ，３４Ｃ，３４Ｂｋ）との接点である一次転写部で中間転写体３５上に多重転写される。
【００２５】
多重転写を受けた中間転写体３５は、二次転写部Ｔ２において電圧を印加された転写ローラ５１によって転写材Ｐを挟み込み搬送することにより転写材Ｐに中間転写体３５上の各色トナー像を同時多重転写する。
【００２６】
本実施の形態に係る中間転写体（中間転写ベルト）３５は、周長約６２０ｍｍのシームレス樹脂ベルトで形成されており、駆動ローラ３１、二次転写対向ローラ３２、テンションローラ３３の３軸で張架され、テンションローラ３３の両端をばねで荷重し、中間転写体３５の周長が本体内の温湿度や経時変化により変化しても、変化量を吸収できる構成になっている。
【００２７】
中間転写体３５の内側の片側縁部全周には、ゴムで形成されたガイドリブ（不図示）が接着剤により貼り付けられている。そして、テンションローラ３３の片側端部には勾配を持ち、樹脂で形成したフランジ（不図示）が配置されていて、ガイドリブ（不図示）とフランジ（不図示）で中間転写体３５の走行方向と直行する方向の動き（以下「寄り」と言う）を規制している。
【００２８】
中間転写体３５は、本体に駆動ローラ３１を支点として支持され、駆動ローラ３１の図示後方の一方端に図示しない駆動モーターの駆動力を伝達することにより、中間転写体３５を画像形成動作に応じて図示時計回りに回転させるようにしている。
［給紙部］
給紙部は、画像形成部へ転写材Ｐを給送するものであり、複数枚の転写材Ｐを収納した給紙カセット７、給紙ローラ４１、分離パッド４２、給紙ガイド４３及びレジストローラ対４４から主に構成される。画像形成時には給紙ローラ４１が画像形成動作に応じて駆動回転し、給紙カセット７内の転写材Ｐを１枚ずつ分離給送するとともに、給紙ガイド４３によってガイドし、搬送ローラを経由してレジストローラ対４４に至る。
【００２９】
画像形成動作中にレジストローラ対４４は、転写材Ｐを静止待機させる非回転の動作と転写材Ｐを中間転写体３５に向けて搬送する回転の動作とを所定のシーケンスで行い、次工程である転写工程時の画像と転写材Ｐとの位置合わせを行う。
［転写部］
転写部は、揺動可能な転写ローラ５１から成る。転写ローラ５１は、金属軸を中抵抗発泡弾性体で巻いてあり、図示略上下方向に移動可能で且つ駆動を有する。転写材Ｐにカラー画像を転写するタイミングに合わせて転写ローラ５１は図示しないカム部材により上方の位置、即ち転写材Ｐを介して中間転写体３５に所定の圧で押し付けられる。このとき、同時に転写ローラ５１にはバイアスが印加され中間転写体３５上のトナー画像は転写材Ｐに転写される。ここで、中間転写体３５と転写ローラ５１とはそれぞれ駆動されているため、両者に挟まれた状態の転写材Ｐは転写工程が行われると同時に、図示左方向に所定の速度で搬送され、次工程である定着器５０に向けて搬送される。
［定着部］
定着器は、上記現像手段により形成されたトナー画像を中間転写体３５を介して転写材Ｐ上に形成したトナー画像を定着させるものであり、転写材Ｐに熱を加えるためのセラミックヒータ６３を内蔵しているフィルムガイドユニット６１と、転写材Ｐをフィルムガイドユニット６１に圧接させるための加圧ローラ６２とから成る。即ち、トナー像を保持した転写材Ｐは、フィルムガイドユニット６１と加圧ローラ６２とにより搬送されるとともに、熱及び圧力を加えられることによりトナーが転写材Ｐに定着される。
［画像形成動作］
初めに、図２に示す給紙ローラ４１を回転して給紙カセット７内の転写材Ｐを１枚分離し、レジストローラ対４４へと搬送する。
【００３０】
一方、感光体ドラム２１と中間転写体３５とが各々所定の外周速度Ｖ（以下、プロセス速度と呼ぶ）で図示矢印方向へ回転する。帯電手段２３によって表面を均一に帯電された感光体ドラム２１は、画像光１０を受け画像形成を行う。
【００３１】
各色の画像形成動作は同様であるため、ここではイエロー画像について述べる。
【００３２】
スキャナー部１Ｙによりイエロー画像の画像光１０Ｙの照射を行い、感光体ドラム２１Ｙ上にイエロー潜像を形成する。この潜像形成と同時にイエロー現像ローラ２２Ｙを駆動し、感光体ドラム２１Ｙ上の潜像にイエロートナーが付着するように感光体ドラム２１Ｙの帯電極性と同極性で略同電位の電圧を印加してイエロー現像を行う。同時に現像部の下流の一次転写部Ｔ１Ｙで感光体ドラム２１Ｙ上のイエロートナー像を中間転写体３５の外周に一次転写する。この時中間転写体３５には上記イエロートナーと逆特性の電圧を印加して一次転写を行う。
【００３３】
上述と同様にマゼンタ、シアン、ブラック画像を形成し、イエロー、マゼンタ、シアン、ブラックの順で潜像形成及び現像及び中間転写体３５へのトナー転写をそれぞれの一次転写位置で行い、中間転写体３５の表面にイエロー、マゼンタ、シアン、ブラックの４種のトナーから成るフルカラーの画像を形成することになる。
【００３４】
ブラックトナーの中間転写体３５への転写が終了する前に、即ち４色目のブラックトナーの一次転写を終えてフルカラー画像を形成した中間転写体３５の画像先端が二次転写部Ｔ２へ到達する前に、先述のレジストローラ対４４で待機させておいた転写材Ｐをタイミングを合わせて搬送させる。
【００３５】
上記４色の中間転写体３５上への各色の画像形成時には下方に待機し中間転写体３５とは非接触状態であった転写ローラ５１を同時に上方へカム（図示せず）で移動させ、転写材Ｐを中間転写体３５の二次転写部Ｔ２で圧接すると同時に転写ローラ５１にトナーと逆特性のバイアスを印加することで、中間転写体３５上のフルカラー画像を転写材Ｐに一気に４色同時に転写する。
【００３６】
二次転写部Ｔ２を経た転写材Ｐは、中間転写体３５から剥離され、定着器へ搬送されてトナー定着を行った後に排出ローラ対５３，５４，５５を介して本体上部の排出トレイ５６上へ画像面を下向きにして排出され、画像形成動作を終了する。
［プロセスカートリッジの着脱］
次に、プロセスカートリッジの着脱方法について図３及び図４を用いて説明する。
【００３７】
４個のプロセスカートリッジを収容しているカートリッジ収容ガイド１０１は、中間転写体３５を含むユニットと一体的に固定された状態である本体の前側カバー１４を、図中右側（本体正面側）に開くことによって、回動中心部１０１ａを中心として約３５°の角度で傾斜し、プロセスカートリッジ２の着脱動作が行える構成となっている。
【００３８】
プロセスカートリッジ２は、カートリッジ収容ガイド１０１に保持された状態で回動中心部１０１ａを中心として画像形成装置本体に挿入され、最終的に本体左側板１００と締結されているカートリッジ支持部材１０２と、不図示の感光体ドラムカップリングによって位置が決定される。
【００３９】
図４（ｂ）に示すように、プロセスカートリッジ２に備えられた感光体ドラム２１のシャッター２９は、プロセスカートリッジ２がカートリッジ収容ガイド１０１に保持された状態で画像形成装置本体に挿入されると、カートリッジ支持部材１０２から突出した突起部１０２a にシャッター支持部材２５が当接することになる。更に、カートリッジ収容ガイド１０１が回動しプロセスカートリッジ２が画像形成装置本体の奥へ移動すると、シャッター支持部材２５は図１に示す矢印Ｘ方向へ押され、シャッターが開くことになる。
［支持方法］
シャッター支持部材２５のカートリッジフレーム１８への支持方法について図５を用いて説明する。
【００４０】
カートリッジフレーム１８に設けられたフレーム支持部１１２にシャッター支持部材２５を嵌合させることで、カートリッジフレーム１８がシャッター支持部材２５を回転可能に支持している。カートリッジフレーム１８には規制部１１１が設けられており、長手方向へのシャッター支持部材２５の移動を規制する。
【００４１】
弾性部材１１０は、一端をカートリッジフレーム１８に固定し、他端をシャッター支持部材２５に取り付ける。付勢力はシャッター２９を閉じる方向に加わる。
【実施例１】
【００４２】
図７を用いて本実施の形態に係るフレーム支持部及び規制部の形状を説明する。
【００４３】
本発明の構成では規制部１１１（ｂ）の高さがシャッター支持部材２５の開閉軌跡において変化する。シャッター閉止位置（図７（ｂ））では、規制部１１１が高くなっており、規制部１１１とシャッター支持部材２５の隙間１１４（ａ）は小さくなる。一方、シャッター開放位置及びシャッター開閉動作位置では、シャッター閉止位置に比べ規制部１１１が一段低くなっており、規制部１１１とシャッター支持部材２５の隙間１１４（ｂ）はシャッター閉止位置に比べて大きくなる。
【００４４】
そのため、シャッター閉止位置で規制部１１１とシャッター支持部材２５のガタを最小となるようにシャッター支持部材２５の長手寸法を決めても、シャッター開放位置及びシャッター開閉動作位置では所定量のガタを有する。そのため、シャッター支持部材とフレーム支持部との嵌合量を大きくすることなく、シャッターの動きを阻害することなく省スペースなシャッター構成が可能となる。
【００４５】
＜実施の形態２＞
次に、本発明の実施のの形態２について図８を用いて説明する。シャッター支持部材２５、規制部１１１及びカートリッジフレーム１８は、前記実施の形態１と同じ構成である。
【００４６】
シャッター２９の材質は、可撓性フィルム部材２６に回動可能なシャッター支持部材２５が設けられた構成である。シャッター支持部材２５が回転運動を行うに従い、感光体ドラム２１のシャッター２９が感光体ドラム２１を覆った状態（図８（ａ））から、図８（ｂ），（ｃ），（ｄ）のように移動し、最終的な収納位置まで退避する（図８（ｅ））。
【００４７】
このような、可撓性フィルム部材２６が、感光体ドラム長手と交差する方向に折り畳まれる構成にすることで、シャッター２９をコンパクトに折り畳むことが可能となる。そのため、本実施の形態のような構成にすることで、従来のようにシャッター収容部分を大きく確保する必要がなく、長手方向を短縮したまま、断面方向に大幅な省スペース化が実現できる。
【００４８】
＜実施の形態３＞
次に、本発明の実施の形態３について図１０を用いて説明する。
【００４９】
図１０に本発明の構成である規制部１１１がフレーム支持部１１２の外周の一部となっている構成を示す。
【００５０】
規制部１１１はフレーム支持部１１２の外周の一部とし、フレーム支持部１１２が規制部１１１を兼用していても、従来の構成（図９）と同様にシャッター支持部材２５の長手方向位置を規制することができる。そのため、規制部１１１をフレーム支持部１１２の外部に設ける必要がなくなり、カートリッジフレーム及び付随する部品の配置自由度を高めることができる。
【００５１】
＜実施の形態４＞
次に、本発明の実施の形態４について図１１を用いて説明する。図１１に本発明の構成である規制部が連続である構成を示す。
【００５２】
本発明の構成（図１１（ｂ））では、規制部１１１（ｅ）を連続した斜面とすることで、シャッター開閉動作時のシャッター支持部材の規制部へ引っ掛かりを防止している。そのため、よりスムーズなシャッター開閉動作を得ることができる。
【図面の簡単な説明】
【００５３】
【図１】本発明に係るプロセスカートリッジの斜視図である。
【図２】画像形成装置の模式的断面図である。
【図３】本発明に係るプロセスカートリッジの着脱の様子を示す断面図である。
【図４】（ａ）本発明に係るプロセスカートリッジがカートリッジ収容ガイドに装着されている様子を示す斜視図、（ｂ）カートリッジ収容ガイドが画像形成装置に挿入される際に感光体ドラムのシャッターが開く機構を説明するための模式図である。
【図５】本発明に係るプロセスカートリッジの斜視図である。
【図６】従来の構成の規制部とシャッター支持部材の隙間の様子を示す斜視図であり（ａ）は従来の構成の規制部を示す拡大図、（ｂ）は従来の構成のシャッター閉止位置での状態を示す概略斜視図及び概略図、（ｃ）は従来の構成のシャッター開放位置での状態を示す概略斜視図及び概略図である。
【図７】本発明の実施例に係る規制部とシャッター支持部材の隙間の様子を示す斜視図であり、（ａ）は本発明の実施例の構成の規制部を示す拡大図、（ｂ）は本発明の実施例の構成のシャッター閉止位置での状態を示す概略斜視図及び概略図、（ｃ）は本発明の実施例の構成のシャッター開放位置での状態を示す概略斜視図及び概略図である。
【図８】本発明の実施の形態２に係るシャッターの収納の状態を示す模式断面図である。
【図９】（ａ）は従来の構成の規制部の形状を示す概略斜視図、（ｂ）は従来の構成の規制部の形状を示す概略断面図である。
【図１０】（ａ）は本発明の実施の形態３に係る規制部の形状を示す概略斜視図、（ｂ）は本発明の実施の形態３に係る規制部の形状を示す概略断面図である。
【図１１】（ａ）は本発明の実施の形態４に係る規制部の形状を示す概略斜視図、（ｂ）は本発明の実施の形態４に係る規制部の形状を示す概略図である。
【符号の説明】
【００５４】
１    スキャナー部
２    プロセスカートリッジ
７    給紙カセット
１０    画像光
１１    ポリゴンミラー
１３    結像レンズ
１４    前側カバー
１８    感光体ドラム容器（カートリッジフレーム）
１９    現像器
２０    取っ手部材
２１    感光体ドラム（電子写真感光体）
２２    現像ローラ
２３    帯電ローラ（帯電手段）
２５ａ  支持部
２５    シャッター支持部材
２６    可撓性フィルム部材
２６Ｑ，２６Ｒ  折り目
２７    規制部材
２９    シャッター
３１    駆動ローラ
３２    二次転写対向ローラ
３３    テンションローラ
３４    一次転写ローラ
３５    中間転写体（中間転写ベルト）
４１    給紙ローラ
４２    分離パッド
４３    給紙ガイド
４４    レジストローラ対
５０    定着器
５１    転写ローラ
５３〜５５  排出ローラ対
５６    排出トレイ
６１    フィルムガイドユニット
６２    加圧ローラ
６３    セラミックヒータ
１００  本体左側板
１０１  カートリッジ収容ガイド
１０１ａ  回動中心部
１０２    カートリッジ支持部材
１０２ａ  突起部
Ｐ      転写材
Ｔ１Ｙ    一次転写部
Ｔ２    二次転写部
１１０    弾性部材
１１１（ａ）〜（ｅ）  規制部
１１２    フレーム支持部
１１３（ａ），（ｂ）  規制部とシャッター支持部材の隙間量
１１４（ａ），（ｂ）  規制部とシャッター支持部材の隙間量
【図１】
2005257891.tif 000003
【図２】
2005257891.tif 000004
【図３】
2005257891.tif 000005
【図４】
2005257891.tif 000006
【図５】
2005257891.tif 000007
【図６】
2005257891.tif 000008
【図７】
2005257891.tif 000009
【図８】
2005257891.tif 000010
【図９】
2005257891.tif 000011
【図１０】
2005257891.tif 000012
【図１１】
2005257891.tif 000013